【手続補正書】
【提出日】令和3年4月30日(2021.4.30)
【手続補正１】
【補正対象書類名】特許請求の範囲
【補正対象項目名】全文
【補正方法】変更
【補正の内容】
【特許請求の範囲】
【請求項１】
遠心ポンプのためのピトー管組立体において、
反対側どうしの端部と、前記反対側どうしの端部の間で延びる中心軸とを有する管状体であって、前記反対側どうしの端部の間で延びる排出チャネルが内部を通るように画定する、管状体を有する延長アームと、
前記延長アームの前記反対側どうしの端部の一方に固定された少なくとも１つのピックアップ管であって、前記排出チャネルと流体連通する、少なくとも１つのピックアップ管と、
前記少なくとも１つのピックアップ管が固定された前記延長アームの前記端部の反対側の前記延長アームの前記端部に位置する末端部であって、流体を通して排出するための前記排出チャネルへの開口を有する、末端部と、
前記少なくとも１つのピックアップ管が固定された前記延長アームの前記端部とは反対側の前記延長アームの前記端部に向かって設けられたテーパ付き取付具であって、前記延長アームの前記テーパ付き取付具の構造は、前記延長アームの反対側どうしの前記端部の間に位置し、ポンプケーシング部内の円錐台形状のボアに対して位置合わせされるように配向された外面を有する、テーパ付き取付具とを備えた、ピトー管組立体。
【請求項２】
前記延長アームの前記末端部は、使用時に、前記末端部が通って延在するシールプレートに固定された排出取付具内に位置するように構成された、請求項１に記載のピトー管組立体。
【請求項３】
前記テーパ付き取付具の外面は、平面内に位置するベースを有するすい台と別の平面内に位置する頂部とを画定し、前記すい台の前記ベースの平面は、前記少なくとも１つのピックアップ管が固定された前記延長アームの前記端部に向けられ、その前記頂部の平面は、前記延長アームの前記末端部に向けられている、請求項１に記載のピトー管組立体。
【請求項４】
前記テーパ付き取付具の前記外面は、前記すい台の表面に沿って延在する平面と、前記すい台の前記ベースの外周から、前記すい台の軸に平行、かつ前記ベースの前記平面に垂直に延在する平面との間で測定して、２度以上２０度以下の角度を画定する、請求項３に記載のピトー管組立体。
【請求項５】
前記末端部は、少なくとも部分的に、前記末端部と係合する張力機構を受けるように形成されている、請求項１に記載のピトー管組立体。
【請求項６】
前記末端部は、内部にシール装置を受け入れるような大きさの環状チャネルで構成されている、請求項１に記載のピトー管組立体。
【請求項７】
前記延長アームの前記末端部に前記テーパ付き取付具に近接して位置するキーイング機構をさらに備え、前記キーイング機構は、前記延長アームの前記中心軸に沿って延在する平面に沿って並んでおり、前記中心軸の前記平面は、前記少なくとも１つのピックアップ管の長手方向軸線が位置する平面と同一面内にある、請求項１に記載のピトー管組立体。
【請求項８】
前記すい台は、前記すい台の前記ベースに隣接する環状体で構成され、前記環状体は、内部にシール装置を受け入れるためのチャネルで構成されている、請求項２に記載のピトー管組立体。
【請求項９】
ピトー管タイプの遠心ポンプにおいて、
外側ポンプケーシングと、
前記ポンプケーシング内に配置されたロータ組立体であって、前記ロータ組立体は内部に形成された流体チャンバを有するロータをさらに備え、前記ロータは駆動機構によって係合され、前記ロータに固定された流体入口を有する、ロータ組立体と、
ピトー管組立体であって、
反対側どうしの端部、及び前記反対側どうしの端部の間で延びる中心軸を有する管状本体を有する延長アームと、
前記延長アームの前記反対側どうしの端部の１つに固定された少なくとも１つのピックアップ管であって、前記ロータの前記流体チャンバ内に位置する、少なくとも１つのピックアップ管と、
前記少なくとも１つのピックアップ管が固定された前記延長アームの前記端部の反対側の前記延長アームの前記端部に位置する末端部と、
前記少なくとも１つのピックアップ管が固定された前記延長アームの前記端部とは反対側の前記延長アームの前記端部に向けて設けられたテーパ付き取付具であって、前記延長アームの反対側どうしの前記端部の間に位置する、テーパ付き取付具と、
を備えたピトー管組立体と、
前記ピトー管組立体の前記テーパ付き取付具をその中に位置合わせおよび摩擦嵌合して受けるように構成されたボアを備えたシールプレートと、
前記シールプレートに固定された排出取付具であって、前記延長アームの前記末端部に及び前記末端部の周りに位置する、排出取付具とを備えた、ピトー管タイプの遠心ポンプ。
【請求項１０】
前記シールプレートの前記ボアは、円錐台形状であることを特徴とする、請求項９に記載の遠心ポンプ。
【請求項１１】
前記延長アームの前記末端部に固定された引張機構をさらに備えた、請求項９に記載の遠心ポンプ。
【請求項１２】
前記末端部はねじ山で構成され、さらに前記引張機構はロックナットであることを特徴とする、請求項１１に記載の遠心ポンプ。
【請求項１３】
前記末端部はねじ山で構成され、さらに前記引張機構はマルチジャックテンショナ装置であることを特徴とする、請求項１１に記載の遠心ポンプ。
【請求項１４】
前記テーパ付き取付具の外面は、すい台であって、前記すい台の前記外面に沿って延在する平面と、前記すい台のベースの円周から、前記すい台の軸に平行、かつ前記ベースが位置する平面に垂直に延びる平面との間で測定して、２度以上２０度以下の角度を有する、すい台を画定する、請求項９に記載の遠心ポンプ。
【請求項１５】
前記延長アームの前記末端部に、前記テーパ付き取付具に近接して位置するキーイング機構をさらに備え、前記キーイング機構は、前記延長アームの前記中心軸に沿って延在する平面に沿って並んで位置しており、前記中心軸の平面は前記少なくとも１つのピックアップ管の長手方向軸線を通って延びるとともに前記長手方向軸線が位置する平面と同一面内にある請求項９に記載の遠心ポンプ。
【請求項１６】
前記テーパ付き取付具は、環状体で構成されており、前記環状体は、内部にシール装置を受けるためのチャネルで構成されている、請求項９に記載の遠心ポンプ。
【請求項１７】
前記末端部は、それと位置合わせされてシール機構を受けるように構成された環状体を備えて構成された、請求項９に記載の遠心ポンプ。
【請求項１８】
ピトー管組立体を遠心ポンプに取り付ける方法において、
ロータを受け入れるために内部にポンプチャンバを備えたポンプケーシングを設けるステップと、
流体チャンバを内部に有するロータと、前記ロータの前記流体チャンバに流体を導入するために前記ロータに固定された入口とを含むロータ組立体を設けるステップと、
反対側どうしの端部を有する管状本体、及び前記反対側どうしの端部の間で延びる中心軸を有する延長アームと、前記延長アームの前記反対側どうしの端部の一方に固定された少なくとも１つのピックアップ管と、前記少なくとも１つのピックアップ管が固定された前記延長アームの前記端部の反対側の前記延長アームの前記端部に位置する末端部と、前記少なくとも１つのピックアップ管が固定された前記延長アームの前記端部の反対側の前記延長アームの前記端部に向くように構成されたテーパ付き取付具であって、前記延長アームの反対側どうしの前記端部の間に位置するとともに、前記遠心ポンプのシールプレートに対して位置合わせおよび摩擦嵌合するように向いた外面を有する、テーパ付き取付具とを備えたピトー管組立体を設けるステップと、
前記少なくとも１つのピックアップ管を前記ロータ組立体の前記流体チャンバ内に位置決めするステップと、
前記ピトー管組立体の前記延長アームを前記ロータから離れるように延在させ、前記ポンプケーシングを通って延在させて位置決めするステップと、
ボアを有するシールプレートを、前記テーパ付き取付具を前記シールプレートの前記ボアと位置合わせするように前記延長アームの前記末端部の周りに位置決めするステップと、
前記シールプレートを前記ポンプケーシングに固定するステップと、
前記延長アームの前記末端部の周りで前記シールプレートに排出取付具を固定するステップとを含む、方法。
【請求項１９】
前記シールプレートの前記ボアが円錐台形状である、請求項１８に記載の方法。
【請求項２０】
さらに引張機構を前記延長アームの前記末端部に取り付けて、前記テーパ付き取付具を前記シールプレートの前記円錐台形状のボアと圧縮させ、続いて前記排出取付具を前記シールプレートに固定する、請求項１９に記載の方法。
【手続補正２】
【補正対象書類名】明細書
【補正対象項目名】発明の名称
【補正方法】変更
【補正の内容】
【発明の名称】ピトー管組立体、遠心ポンプ、およびピトー管組立体を遠心ポンプに取り付ける方法
【手続補正３】
【補正対象書類名】明細書
【補正対象項目名】００５６
【補正方法】変更
【補正の内容】
【００５６】
さらに、本発明は、現在最も実用的で好ましい実施形態であると考えられるものに関連して記載されているが、本発明は開示された実施形態に限定されるものではなく、むしろ、本発明の精神および範囲内に含まれる変更、均等配置を含むことが意図される。また、上述した様々な実施形態は、他の実施形態と組み合わせて実施することができる。例えば、一実施形態の態様を別の実施形態の態様と組み合わせて、さらに他の実施形態を実現することができる。さらに、所与の組立体のそれぞれの独立した特徴または構成要素は、追加の実施形態を構成することができる。
（項目１）
遠心ポンプのためのピトー管組立体において、
反対側どうしの端部と、前記反対側どうしの端部の間で延びる中心軸とを有する管状体を有する延長アームと、
前記延長アームの前記反対側どうしの端部の一方に固定された少なくとも１つのピックアップ管と、
前記少なくとも１つのピックアップ管が固定された前記延長アームの前記端部の反対側の前記延長アームの前記端部に位置する端子部と、
前記少なくとも１つのピックアップ管が固定された前記延長アームの前記端部とは反対側の前記延長アームの前記端部に向かって設けられたテーパ付き取付具であって、前記延長アームの反対側どうしの前記端部の間に位置する、テーパ付き取付具とを備えた、ピトー管組立体。
（項目２）
前記テーパ付き取付具は、すい台を画定する外面を有し、前記すい台の前記ベース面は、前記少なくとも１つのピックアップ管が固定された前記延長アームの前記端部に向けられ、その前記頂面は、前記延長アームの前記端子部に向いている、項目１に記載のピトー管組立体。
（項目３）
前記テーパ付き取付具の前記外面は、前記すい台の表面に沿って延在する平面と前記すい台の前記ベースの前記外周から前記すい台の中心軸に平行かつ前記基部の前記平面に垂直に延在する平面との間で測定して約２度以上約２０度以下の角度を画定する、項目２に記載のピトー管組立体。
（項目４）
前記端子部は、少なくとも部分的に、前記端子部と係合する張力機構を受けるように形成されている、項目１に記載のピトー管組立体。
（項目５）
前記端子部は、それと係合するねじ付き張力機構を受けるためのねじ面を備えて形成されることを特徴とする、項目４に記載のピトー管組立体。
（項目６）
前記端子部は、内部にシール装置を受け入れるように大きさの環状チャネルで構成されている、項目１に記載のピトー管組立体。
（項目７）
前記端子部に前記テーパ状のフィッティングに近接して配置されたキーイング機構をさらに備え、前記キーイング機構は、前記延長アームの前記中心軸に沿って延在する平面に沿って並んでおり、この平面は、前記少なくとも１つのピックアップ管の長手方向軸線がある平面と同一の広がりを有する、項目１に記載のピトー管組立体。
（項目８）
前記すい台は、前記すい台の前記基部に隣接する環状体で構成され、前記環状体は、内部にシール装置を受け入れるためのチャネルで構成されている、項目２に記載のピトー管組立体。
（項目９）
ピトー管タイプの遠心ポンプにおいて、
外側ポンプケーシングと、
前記ポンプケーシング内に配置されたロータ組立体であって、前記ロータ組立体は内部に形成された流体チャンバを有するロータをさらに備え、前記ロータは駆動機構によって係合されている、ロータ組立体と、
ピトー管組立体であって、
反対側どうしの端部、及び前記反対側どうしの端部の間で延びる中心軸を有する管状本体を有する延長アームと、
前記延長アームの前記反対側どうしの端部の１つに固定された少なくとも１つのピックアップ管であって、前記ロータの前記流体チャンバ内に配置された、少なくとも１つのピックアップ管と、
前記少なくとも１つのピックアップ管が固定された前記延長アームの前記端部の反対側の前記延長アームの前記端部に位置する端子部と、
前記少なくとも１つのピックアップ管が固定された前記延長アームの前記端部とは反対側の前記延長アームの前記端部に向けて設けられたテーパ付き取付具であって、前記延長アームの反対側どうしの前記端部の間に配置された、テーパ付き取付具と、
を備えたピトー管組立体と、
前記ピトー管組立体の前記テーパ付き取付具をその中に位置合わせして受けるように構成されたボアを備えたシールプレートと、
前記シールプレートに固定された排出取付具とを備えた、ピトー管タイプの遠心ポンプ。
（項目１０）
前記シールプレートの前記ボアは、円錐台形状であることを特徴とする、項目９に記載の遠心ポンプ。
（項目１１）
前記延長アームの前記端子部に固定された引張機構をさらに備えた、項目９に記載の遠心ポンプ。
（項目１２）
前記端子部はねじ山で構成され、さらに前記引張機構はロックナットであることを特徴とする、項目１１に記載の遠心ポンプ。
（項目１３）
前記端子部はねじ山で構成され、さらに前記引張機構はマルチジャックテンショナ装置であることを特徴とする、項目１１に記載の遠心ポンプ。
（項目１４）
前記テーパ付き取付具の前記外面は、前記すい台の表面に沿って延在する前記面と、前記すい台の前記ベースの前記円周から、前記すい台の前記軸に平行、かつ前記ベースの前記平面に垂直に延びる平面との間で測定して、約２度以上約２０度以下の角度を有するすい台を画定する、項目９に記載の遠心ポンプ。
（項目１５）
前記延長アームの前記終端に、前記テーパ付き取付具に近接して配置されたキーイング機構をさらに備え、前記キーイング機構は、前記延長アームの前記中心軸に沿って延在する平面に対して並んでかつ沿っており、その平面は前記少なくとも１つのピックアップ管の長手方向軸線を通って延びる平面と同一の広がりを有する、項目９に記載の遠心ポンプ。
（項目１６）
前記テーパ付き取付具は、環帯で構成されており、前記環帯は、内部にシール装置を受けるためのチャネルで構成されている、項目９に記載の遠心ポンプ。
（項目１７）
前記終端部は、それと位置合わせされてシール機構を受けるように構成された環帯を備えて構成された、項目９に記載の遠心ポンプ。
（項目１８）
ピトー管組立体を遠心ポンプに取り付ける方法において、
ロータを受け入れるために内部にポンプチャンバを備えたポンプケーシングを設けるステップと、
流体チャンバを内部に有するロータと、前記ロータの前記流体チャンバに流体を導入するための入口とを含むロータ組立体を設けるステップと、
反対側どうしの端部を有する管状本体、及び前記反対側どうしの端部の間で延びる中心軸を有する延長アームと、前記延長アームの前記反対側どうしの端部の一方に固定された少なくとも１つのピックアップ管と、前記少なくとも１つのピックアップ管が固定された前記延長アームの前記端部の反対側の前記延長アームの前記端部に配置された端子部と、前記少なくとも１つのピックアップ管が固定された前記延長アームの前記端部の反対側の前記延長アームの前記端部に向けて設けられたテーパ付き取付具であって、前記延長アームの反対側どうしの前記端部の間に配置された、テーパ付き取付具とを備えたピトー管組立体を設けるステップと、
前記少なくとも１つのピックアップ管を前記ロータ組立体の前記流体チャンバ内に位置決めするステップと、
前記ピトー管組立体の前記延長アームを前記ロータから離れるように延在させ、前記ポンプケーシングを通って延在させて位置決めするステップと、
ボアを有するシールプレートを、前記テーパ付き取付具を前記シールプレートの前記ボアと位置合わせするように前記延長アームの前記終端の周りに位置決めするステップと、
前記シールプレートを前記ポンプケーシングに固定するステップと、
前記シールプレートに排出取付具を固定するステップとを含む、方法。
（項目１９）
前記シールプレートの前記ボアが円錐台形状である、項目１８に記載の方法。
（項目２０）
さらに引張機構を前記延長アームの前記終端に取り付けて、前記テーパ付き取付具を前記シールプレートの前記円錐台形状のボアと圧縮させ、続いて前記排出取付具を前記シールプレートに固定する、項目１８に記載の方法。